(57)【要約】【課題】  プリント回路基板上に敷設される電線を、簡易に、しかも確実にプリント回路基板に固定することのできる作業性に優れた基板用電線保持具を提供する。【解決手段】  プリント回路基板に装着されて該プリント回路基板上に敷設される電線を保持するものであって、所定長さの屈曲自在な棒状体(１)と、この棒状体の一端部に連接された扁平な、例えば楕円形の断面形状を有する軸体(２)と、この軸体にその軸方向に所定の間隔を隔てて平行に設けられた２枚の鍔部(３,４)とを備える。好ましくは棒状体の周面を絶縁性のチューブ(５)で被覆する。また下端側の鍔部(４)をその上部の鍔部(３)よりも若干小径にする。【選択図】      図１
2006303225.tif 000002
【特許請求の範囲】
【請求項１】
プリント回路基板に装着されて該プリント回路基板上に敷設される電線を保持する基板用電線保持具であって、
所定長さの屈曲自在な棒状体と、この棒状体の一端部に連接された扁平な断面形状を有する軸体と、この軸体にその軸方向に所定の間隔を隔てて平行に設けられた２枚の鍔部とを具備したことを特徴とする基板用電線保持具。
【請求項２】
前記棒状体の周面を絶縁性のチューブで被覆したことを特徴とする請求項１に記載の基板用電線保持具。
【請求項３】
前記２枚の鍔部は、前記棒状体側に設けられる大径の鍔部、前記軸部の端部に設けられる小径の鍔部とからなる請求項１または２に記載の基板用電線保持具。
【発明の詳細な説明】
【技術分野】
【０００１】
本発明は、プリント回路基板に装着されて該プリント回路基板上に敷設される電線を保持するに好適な基板用電線保持具に関する。
【背景技術】
【０００２】
各種の電子回路や電子機器等が実装されるプリント回路基板上に電線を敷設する場合、電線が不本意に動かないように固定することが重要である。また複数本の電線を敷設する場合には、これらの電線がばらつかないようにすることも必要である。そこで従来においては、一般的には結束バンドを用いて複数本の電線を束ねて保持したり、更には結束バンドをプリント回路基板等に固定することも行われている。また電線の外周に嵌め込まれるＣ字状の保持部を形成した弾性樹脂製の電線保持具も提唱されている（例えば特許文献１を参照）。
【特許文献１】特開２００１−２９８２８３号公報
【発明の開示】
【発明が解決しようとする課題】
【０００３】
しかしながら電線をプリント回路基板上に確実に保持するには、例えばプリント回路基板に突設したピンに結束バンドを縛り付ける等の作業が必要であり、その作業性が悪いと言う問題がある。また特許文献１に示される電線保持具を用いた場合、ねじ等を用いて保持具をプリント回路基板等に固定する必要があるので、作業性が悪いことのみならず部品コストが掛かる等の不具合がある。
【０００４】
本発明はこのような事情を考慮してなされたもので、その目的は、プリント回路基板上に敷設される電線を、簡易に、しかも確実にプリント回路基板に固定することのできる作業性に優れた基板用電線保持具を提供することのある。
【課題を解決するための手段】
【０００５】
上述した目的を達成するべく本発明に係る基板用電線保持具は、プリント回路基板に装着されて該プリント回路基板上に敷設される電線を保持するものであって、
所定長さの屈曲自在な棒状体と、この棒状体の一端部に連接された扁平な断面形状を有する軸体と、この軸体にその軸方向に所定の間隔を隔てて平行に設けられた２枚の鍔部とを具備したことを特徴としている。
【０００６】
即ち、本発明に係る基板用電線保持具は、所定長さの屈曲自在な棒状体の一端部に、楕円形等の扁平な断面形状を有する軸体を連接すると共に、この軸体の両端部に円盤状の２枚の鍔部を一体に形成した構成を有し、プリント回路基板に穿たれた取り付け孔に上記軸体を挿通させて上記２枚の鍔部間にプリント回路基板を挟み込むことで該プリント回路基板に装着し得るようにしたものである。ちなみに上記取り付け孔については、鍔部の径よりも小径で、その側部に前記軸体が横方向から挿通可能な幅狭の切欠き溝を有するものとして形成しておけば良い。そしてプリント回路基板上に突出させて装着された前記棒状体を屈曲させて電線の周囲に巻き付けることで、電線をプリント回路基板上に保持・固定するようにしたものである。
【０００７】
好ましくは請求項２に記載するように、前記棒状体の周面を絶縁性のチューブで被覆したものとして提供される。また前記２枚の鍔部は、請求項３に記載するように前記棒状体側に設けられる大径の鍔部、前記軸体の端部に設けられる小径の鍔部として実現することが好ましい。
【発明の効果】
【０００８】
上記構成の基板用電線保持具によれば、前記２枚の鍔部間の間隔を、その装着対象とするプリント回路基板の厚みとしておき、プリント回路基板に予め設けた前記軸体が挿通可能な取付孔に上記軸体を挿通させて上記２枚の鍔部間にてプリント回路基板を挟み込むだけで、この基板用電線保持具をプリント回路基板に簡易に装着することができる。ちなみに上記取付孔については、例えば前記鍔部が挿通可能な大径の第１の孔部と、この第１の孔部に並べて設けられ、前記鍔部よりも小径で、且つ前記軸体の最大幅よりも大径の第２の孔部と、これらの第１および第２の孔部を相互に連結する溝であって、前記軸体の最小幅より広く、且つその最大幅よりも狭い幅の連通溝とからなる、いわゆるダンベル形状の孔としてを設けておけば良い。
【０００９】
そして基板用電線保持具をプリント回路基板に装着した状態で、該プリント回路基板に突出する棒状体を屈曲させ、この棒状体をプリント回路基板上に敷設された電線の周囲に巻き付ければ、これによってプリント回路基板上に電線を安定に保持することが可能となる。しかも基板用電線保持具のプリント回路基板への装着と、電線への棒状体の巻き付けと言う簡単な作業で、電線を安定に保持することが可能となる。
【００１０】
尚、棒状体の周面を絶縁性のチューブで被覆しておけば、電線被覆の破断保護を図ることができ、また基板用電線保持具のプリント回路基板への装着作業時に、滑り止め作用を呈するツマミとして機能させることができる。また２枚の鍔部を、棒状体側に設けられる大径の鍔部、および軸体の端部に設けられる小径の鍔部としておけば、軸体を前述した大径の第１の孔部に挿通させる際、大径の鍔部を抜け止め（ストッパ）として機能させることができるので、その装着作業性を高め得る等の利点が奏せられる。
【発明を実施するための最良の形態】
【００１１】
以下、図面を参照して本発明の一実施形態に係る基板用電線保持具について説明する。
図１はこの実施形態に係る基板用電線保持具の概略構成を示している。この基板用電線保持具は、例えば長さ３０ｍｍ程度、直径１ｍｍ程度の軟銅製の屈曲自在な棒状体１と、この棒状体１の一端部に連接された扁平な断面形状を有する軸体２と、この軸体２にその軸方向に所定の間隔を隔てて平行に設けられた円板状の２枚の鍔部３,４とを備えて構成される。また前記棒状体１には、その表面を覆って絶縁性を有する熱収縮チューブ５が装着されている。
【００１２】
上記軸体２は、図２にその断面構造を示すように、例えば長径１.５ｍｍ，短径０.７ｍｍの楕円形断面形状を有する長さ２ｍｍ程度の棒状体からなり、前記棒状体１と同軸に連接されている。またこの軸体２の前記棒状体１との連結部（軸体２の上端）に設けられた第１の鍔部３は、例えば直径３.５ｍｍの円板体からなり、また軸体２の端部（下端）に設けられた第２の鍔部４は、上記第１の鍔部３よりも若干小径の、例えば直径３.０ｍｍの円板体からなる。特に第１および第２の鍔部３,４は、装着対象とするプリント回路基板の厚みＤに応じた間隔ｄを隔てて平行に設けられている。ちなみにこの実施形態においては、上記各鍔部３,４の厚みはそれぞれ０.３ｍｍとして設定されている。
【００１３】
上述した如く構成された基板用電線保持具は、プリント回路基板１０に装着されて該プリント回路基板１０上に敷設される電線３０の保持・固定に用いられる。しかしてプリント回路基板１０に設けられる保持具装着用の取付孔１１は、例えば図３に示すように第２の鍔部４が挿通可能な大径の第１の孔部１２と、この第１の孔部１２に並べて設けられ、前記第２の鍔部４よりも小径で、且つ前記軸体２の最大幅（長径方向の幅；１.５ｍｍ）よりも若干大径の第２の孔部１３と、これらの第１および第２の孔部１２,１３を相互に連結する溝であって、前記軸体２の最小幅（短径方向の幅；０.７ｍｍ）より広く、且つその最大幅（長径方向の幅；１.５ｍｍ）よりも狭い幅の連通溝１４とからなる、いわゆるダンベル形状の孔からなる。
【００１４】
具体的には前記第１の孔部１２の径は、基板用電線保持具における第１の鍔部３の径がが３.５ｍｍ、また第２の鍔部４の径が３.０ｍｍとして設定されていることから、第２の鍔部４を挿通すると共に第１の鍔部３の挿通を阻止するべく、例えば３.２ｍｍとして設定される。また第２の孔部１３の径は、その縁部が第１および第２の鍔部３,４により挟み込まれるように、しかも前記軸体２を挿通し得るように、例えば１.８ｍｍとして設定されている。そして前記連通溝１４の幅は前記軸体２が特定の方向、つまり軸体２が幅狭の向きに位置付けられたときにだけ該軸体２が通過し得るように、例えば０.９ｍｍとして設定されている。尚、この連通溝１４の長さについては、この連通溝１４の内部において前記軸体２がその向きを変えることができない長さとして、例えば２.５ｍｍ程度に設定される。
【００１５】
このような形状の取付孔１１への前記基板用電線保持具の装着は、図４(ａ)〜(ｄ)に示すように、先ず基板用電線保持具の下端部に設けられた第２の鍔部４を大径の第１の孔部１２に挿入する［図４(ａ)］。このとき第１の鍔部３が第１の孔部１２の周縁部に当接してその挿通が阻止されるので、孔部１２に対する電線保持具の挿入深さを簡単に規制し、第１の鍔部３をプリント回路基板１０の上面位置に、そして第２の鍔部４をプリント回路基板１０の下面位置にそれぞれ位置付けることが可能となる。次いで基板用電線保持具の軸体２の長径方向を連通溝１４側に向け、この状態で基板用電線保持具を連通溝１４から第２の第２の孔部１４に向けて横向きにスライドさせる［図４(ｂ)］。これによって前記第１および第２の鍔部３,４が第２の孔部１４の周縁部においてプリント回路基板１０をその上下面から挟み込んだ状態となる。
【００１６】
そして基板用電線保持具を第２の孔部１４に位置付けたならば、例えば棒状体１を摘んで基板用電線保持具をその軸心回りに９０°回転（回動）させる［図４(ｃ)］。すると前記基板用電線保持具の軸体２の長径方向が、前記連通溝１４に対して直交する向きに設定されるので該軸体２の長径方向縁部が前記連通溝１４の周壁に引っ掛かることになり、これによってその抜け止めがなされる［図４(ｄ)］。
【００１７】
この結果、基板用電線保持具は、第１および第２の鍔部３,４によって第２の孔部１３の周囲においてプリント回路基板１０の上下面を挟み込むことになり、且つ連通溝１４により軸体２の抜け止めがなされた状態でプリント回路基板１０に装着されることになる。そして基板用電線保持具の棒状体１は、プリント回路基板１０の一面に突出して設けられることになる。従ってこのようにしてプリント回路基板１０に装着された基板用電線保持具の棒状体１を屈曲させ、例えば図５に示すように電線３０の周囲に巻き付ければ、これによって電線３０を安定に保持することが可能となる。また複数の電線３０をまとめて前記棒状体１を一括して巻き付ければ、これによって複数の電線３０を効果的に束ねることが可能となる。
【００１８】
このように上述した構造の基板用電線保持具は、プリント回路基板１０に対して簡易に装着することができ、また必要に応じて上述した装着手順と逆の手順を辿ることによってプリント回路基板１０から簡易に取り外すことができる。また従来の電線保持具と異なってプリント回路基板１０にねじ止めしたり、半田付けする等の装着作業が不要である。従ってその装着作業性が非常に良好である。
【００１９】
また棒状体１を覆って絶縁性の熱収縮チューブ５が設けられているので、棒状体１を屈曲させて電線３０に巻き付けたときであっても、上記熱収縮チューブ５によって電線３０の被覆を傷付ける虞がないので電線３０に対する破断保護効果を期待することができる。更には上記熱収縮チューブ５は、前述したように棒状体１を把持して基板用電線保持具をその軸心回りに回転させる際、滑り止め効果を呈するツマミとしての役割を果たすので、その取り扱い（装脱作業性）を容易ならしめる等の実用上多大なる効果を奏する。また棒状体１を屈曲させて電線３０に巻き付けるだけで良いので電線３０の径やその本数に拘わることなく、これらの電線３０の保持に柔軟に対処し得る等の効果が奏せられる。
【００２０】
尚、本発明は上述した実施形態に限定されるものではない。例えば棒状体１の長さや太さ、更にはその柔らかさ（屈曲のし易さ）等は、保持対象とする電線３０の種別に応じて設定すれば良いものである。また前述した軸体２の長さ、つまり２枚の鍔部３,４の間隔は、装着対象とするプリント回路基板１０の厚みに応じて設定すれば良いものである。鍔部３,４の大きさ（径）や軸体２の太さは、プリント回路基板１０に対する取付強度等を考慮して設定すれば良いものである。
【００２１】
更に軸体２の断面形状については実施形態で示した楕円形状のみならず、長方形状であっても良く、要は短軸と長軸とを有する全体的に扁平な断面形状を有し、その軸心回りに容易に回動させ得るようなものであれば良い。また前述した熱収縮チューブ２を省略し、棒状体１を剥き出しの状態のまま用いるようにしても良い。またプリント回路基板１０に設けると取付孔１１については、例えば第２の孔部１３をプリント回路基板１０の縁部に設ける場合、前述した第１の孔部１２を省略し、連通溝１４をプリント回路基板１０の辺部に連通して第２の孔部１３の側部を開放するものとして形成することも可能である。この場合には、基板用電線保持具をプリント回路基板１０の辺部から横向きにスライドさせて第２の孔部に嵌め込むだけで良い。その他、本発明はその要旨を逸脱しない範囲で種々変形して実施することができる。
【図面の簡単な説明】
【００２２】
【図１】本発明の一実施形態に係る基板用電線保持具の概略構成を示す正面図。
【図２】図１に示す基板用電線保持具の軸体の断面構造を示す図。
【図３】基板用電線保持具を取り付ける為のプリント回路基板に設けられる取付孔の例を示す図。
【図４】プリント回路基板に対する基板用電線保持具の取付手順を示す図。
【図５】プリント回路基板に装着した基板用電線保持具による電線の保持例を示す図。
【符号の説明】
【００２３】
１  棒状体
２  軸体
３  第１の鍔部
４  第２の鍔部
５  熱収縮チューブ
【図１】
2006303225.tif 000003
【図２】
2006303225.tif 000004
【図３】
2006303225.tif 000005
【図４】
2006303225.tif 000006
【図５】
2006303225.tif 000007